(57)【要約】【課題】接着剤を用いることなくレンズ支持体にスプリングを取り付けできるレンズ駆動装置、カメラ及びカメラ付き携帯電話を提供する。【解決手段】本発明において、スプリング９は環状の内周側部９ａと、環状の外周側部９ｂと、内周側部９ａと外周側部９ｂとを連結する複数の腕部９ｃとを有し、内周側部９ａをレンズ支持体７の光軸方向一端に配置し且つ外周側部９ｂをヨーク３と筐体部６との間に配置してあり、ヨーク３に対してレンズ支持体７を光軸方向に移動自在に支持しており、レンズ支持体７の光軸方向一側には、レンズ支持体７に対してスプリング９の内周側部９ａを係脱自在に係止する抜け止め部２３が設けてある。【選択図】図１
2008310236.tif 000002
【特許請求の範囲】
【請求項１】
環状のヨークと、ヨークの内周側に配置され且つ外周にコイルが固定されたレンズ支持体と、マグネットと、スプリングと、筐体部とを備え、マグネットはヨークの外周壁の内周側に配置されており、スプリングは環状の内周側部と、環状の外周側部と、内周側部と外周側部とを連結する複数の腕部とを有し、内周側部をレンズ支持体の光軸方向一側に配置し且つ外周側部をヨークと筐体部との間に配置してあり、ヨークに対してレンズ支持体を光軸方向に移動自在に支持しており、コイルに通電して生じる電磁力によりレンズ支持体をレンズの光軸方向に移動するレンズ駆動装置であって、
レンズ支持体の光軸方向一側には、レンズ支持体に対してスプリングの内周側部を係脱自在に係止する抜け止め部が設けてあることを特徴とするレンズ駆動装置。
【請求項２】
スプリングの内周側部はレンズ支持体の外周に配置してあり、レンズ支持体の抜け止め部は、レンズ支持体から径方向外方向に突設した突部であり、スプリングの内周側部には抜け止め部の挿通凹部が形成してあり、スプリングの挿通凹部を光軸方向一側からレンズ支持体の抜け止め部に挿通した後、スプリングをレンズ支持体に対して相対的に回転することにより、抜け止め部をスプリングの内周側部に光軸方向一側から当接する位置に配置することを特徴とする請求項１に記載のレンズ駆動装置。
【請求項３】
レンズ支持体の外周面には係止部が設けてあり、スプリングの内周側部には係止部に周方向で係止する被係止部が設けてあり、抜け止め部が挿通凹部に挿通した後に相対的に回転して挿通凹部からずれた後に、レンズ支持体の係止部とスプリングの被係止部とが係止してレンズ支持体に対するスプリングの内周側部の回転を阻止することを特徴とする請求項２に記載のレンズ駆動装置。
【請求項４】
請求項１〜３の何れか一項に記載のレンズ駆動装置を備えることを特徴とするカメラ。
【請求項５】
請求項４に記載のカメラを搭載したことを特徴とするカメラ付き携帯電話。
【発明の詳細な説明】
【技術分野】
【０００１】
本発明は、小型カメラのレンズ駆動装置に関する。
【背景技術】
【０００２】
この種のレンズ駆動装置において、特許文献１には、スプリング（前側スプリング）が環状の内周側部と、環状の外周側部と、内周側部と外周側部とを連結する複数の腕部とを有しており、スプリングの内周側部をレンズ支持体の光軸方向前端（光軸方向一側端）に配置する構成が開示されている。
【０００３】
この特許文献１には、直接の記載はないが、一般的には、スプリングの内周側部はレンズ支持体の光軸方向前端に接着剤で固定している。
【０００４】
【特許文献１】特開２００６−３２３２５１号公報
【発明の開示】
【発明が解決しようとする課題】
【０００５】
しかし、レンズ支持体にスプリングの内周側部を接着固定する場合、接着剤がレンズ支持体から食み出してヨークに接着してしまったり、食み出した接着剤がレンズ駆動装置の組み付けの邪魔になったり、レンズ支持体の駆動時に食み出した接着剤がヨークに触れてレンズ支持体の移動機能を阻害するという不都合があった。
【０００６】
そこで、本発明は、接着剤を用いることなくレンズ支持体にスプリングを取り付けできるレンズ支持体、レンズ駆動装置、カメラ及びカメラ付き携帯電話の提供を目的とする。
【課題を解決するための手段】
【０００７】
請求項１に記載の発明は、環状のヨークと、ヨークの内周側に配置され且つ外周にコイルが固定されたレンズ支持体と、マグネットと、スプリングと、筐体部とを備え、マグネットはヨークの外周壁の内周側に配置されており、スプリングは環状の内周側部と、環状の外周側部と、内周側部と外周側部とを連結する複数の腕部とを有し、内周側部をレンズ支持体の光軸方向一側に配置し且つ外周側部をヨークと筐体部との間に配置してあり、ヨークに対してレンズ支持体を光軸方向に移動自在に支持しており、コイルに通電して生じる電磁力によりレンズ支持体をレンズの光軸方向に移動するレンズ駆動装置であって、レンズ支持体の光軸方向一側には、レンズ支持体に対してスプリングの内周側部を係脱自在に係止する抜け止め部が設けてあることを特徴とする。
【０００８】
請求項２に記載の発明は、請求項１に記載の発明において、スプリングの内周側部はレンズ支持体の外周に配置してあり、レンズ支持体の抜け止め部は、レンズ支持体から径方向外方向に突設した突部であり、スプリングの内周側部には抜け止め部の挿通凹部が形成してあり、スプリングの挿通凹部を光軸方向一側からレンズ支持体の抜け止め部に挿通した後、スプリングをレンズ支持体に対して相対的に回転することにより、抜け止め部をスプリングの内周側部に光軸方向一側から当接する位置に配置することを特徴とする。
【０００９】
請求項３に記載の発明は、請求項２に記載の発明において、レンズ支持体の外周面には係止部が設けてあり、スプリングの内周側部には係止部に周方向で係止する被係止部が設けてあり、抜け止め部が挿通凹部に挿通した後に相対的に回転して挿通凹部からずれた後に、レンズ支持体の係止部とスプリングの被係止部とが係止してレンズ支持体に対するスプリングの内周側部の回転を阻止することを特徴とする。
【００１０】
請求項４に記載の発明は、請求項１〜３の何れか一項に記載のレンズ駆動装置を備えることを特徴とするカメラである。
【００１１】
請求項５に記載の発明は、請求項４に記載のカメラを搭載したことを特徴とするカメラ付き携帯電話である。
【発明の効果】
【００１２】
請求項１に記載の発明によれば、抜け止め部がスプリングの内周側部に係止することにより、接着剤を用いることなくレンズ支持体にスプリングの内周側部を取付けできる。
【００１３】
したがって、接着剤の食み出しがないから、食み出した接着剤がレンズ駆動装置の組み付けの障害になったり、レンズ駆動装置の製造後にレンズ支持体の移動機能を阻害したりすることがない。
【００１４】
レンズ支持体に予めレンズを組み付けたものを用いたレンズ駆動装置の製造において、スプリングやコイル等になんらかの不良が生じた場合に、レンズ支持体とスプリングの内周側部とは接着固定していないから、抜け止め部の係止状態を外すことにより、レンズ支持体をスプリングから外せるので、高価なレンズを保持しているレンズ支持体を再利用することができる。
【００１５】
請求項２に記載の発明によれば、請求項１に記載の作用効果を奏することができると共に、突部と凹部との簡単な構成でレンズ支持体に対するスプリング内周側部の抜けを防止できる。
【００１６】
請求項３に記載の発明によれば、請求項２に記載の作用効果を奏することができると共に、スプリングとレンズ支持体の組み付け時には、レンズ支持体に対するスプリングの位置決め及び抜け止め部の位置決めが容易にでき、レンズ駆動装置の製造後には、スプリングに対するレンズ支持体の回転方向の位置ずれを防止できる。
【００１７】
請求項４に記載の発明によれば、請求項１〜３の何れか一項に記載の作用効果を奏するカメラを提供できる。
【００１８】
請求項５に記載の発明によれば、請求項３に記載の作用効果を奏するカメラ付き携帯電話を提供できる。
【発明を実施するための最良の形態】
【００１９】
以下に、添付図面の図１〜図６を参照して本発明の実施の形態を説明する。図１は本発明の実施の形態に係るレンズ支持体とスプリングとの組み付け状態を光軸方向前側から見た斜視図であり、図２は図１に示すレンズ支持体とスプリングとの組み付け状態の縦断面図であり、図３は、図１に示すレンズ支持体とスプリングとの組み付け前の状態を光軸方向前側から見た斜視図であり、図４は本発明の実施の形態に係るレンズ駆動装置の分解斜視図であり、図５は図６のＡ−Ａ断面図であり、図６は本実施の形態に係るレンズ駆動装置の概観を示す斜視図である。
【００２０】
本実施の形態に係るレンズ駆動装置１は、携帯電話に組み込まれるオートフォーカスカメラのレンズ駆動装置である。このレンズ駆動装置１は、図４に示すように、環状のヨーク３と、レンズ支持体７と、前側スプリング（スプリング）９と、後側スプリング１１と、ヨーク３の後側に配置される後側筐体部（筐体）５と、ヨーク３の前側に配置される前側筐体部（筐体）６とを備えており、レンズ支持体７には、外周にコイル１５が固定されている。ヨーク３と後側スプリング１１との間には絶縁体（スペーサ）１７が配置されている。このレンズ駆動装置１は、縦横が約１０ｍｍ、高さが約３．５ｍｍで非常に小さいものである。
【００２１】
ヨーク３は前側から見て外周が平面視四角形であり、内周が平面視円形になっており、外周壁３ａと、内周壁３ｂと、外周壁３ａと内周壁３ｂとを連結する連結壁３ｃとからなり、外周壁３ａと内周壁３ｂと連結壁３ｃとで断面が、コ字形状又はＵ字形状を成している。
【００２２】
ヨーク３の各角部１４において、外周壁３ａの内周面にはマグネット１３が固定されている。マグネット１３は、角部１４のみに設けてあり、内周壁３ｂに形成された切除部１２に対応する位置にはない。
【００２３】
レンズ支持体７は、ヨーク３の内周側を光軸方向（前後方向）に移動自在に設けられている。このレンズ支持体７は、円筒形状のレンズ保持部２０と、レンズ保持部２０の光軸方向後側に設けた環状のフランジ部２２とから構成されており、レンズ保持部２０とフランジ部２２とは別体に製造したものを脱着自在に嵌合固定している。
【００２４】
レンズ保持部２０は略円筒形状であり、レンズ保持部２０の内周には予めレンズが固定されている（尚、各図ではレンズを省略して示している）。
【００２５】
図１に示すように、レンズ支持体７の光軸方向一側には、レンズ支持体７に対して前側スプング９の内周側部９ａを係脱自在に係止する抜け止め部２３が設けてある。抜け止め部２３は、径方向外方向に突設した突部であり、レンズ支持体７に前側スプリング９の内周側部９ａを装着した状態において、内周側部９ａに前側（光軸方向一側）から当接している。この抜け止め部２３は、レンズ支持体の周方向において１８０度離れた位置に合計２つ設けてある。
【００２６】
レンズ支持体７の周方向において、２つの抜け止め部２３の間には、径方向外方に突設した係止部（回転止め係止部）２５が設けてあり、後述するスプリング９の内周側部９ａに形成した被係止部２７に周方向で係止するようになっている。
【００２７】
図１及び図３に示すように、前側スプリング（スプリング）９は、平面視四角形の環状の外周側部９ｂと、平面視円環状の内周側部９ａとが設けてあり、内周側部９ａはレンズ支持体７に取り付けてあり、外周側部９ｂはヨーク３と前側筐体部６との間に挟持して固定されている。内周側部９ａと外周側部９ｂとは弾性変形可能な腕部９ｃにより連結してある。腕部９ｃは本実施の形態では、等間隔に４箇所設けてある。
【００２８】
前側スプリング９の内周側部９ａには、レンズ支持体７に形成した抜け止め部２３の挿通凹部２４が形成してあり、前側スプリング９の挿通凹部２４を光軸方向一側からレンズ支持体７の抜け止め部２３に挿通した後、前側スプリング９に対して相対的にレンズ支持体７を回転することにより、抜け止め部２３を前側スプリング９の内周側部９ａに光軸方向一側から当接させている。
【００２９】
更に、前側スプリング９の内周側部９ａには、レンズ支持体７の係止部２５に周方向で係止する被係止部２７が設けてある。被係止部２７は、前側スプリング９において、内周側部９ａの内周縁に周方向に形成した凹み２６の周方向端である。
【００３０】
前側スプリング９の外周側部９ｂにおいて、各角部には前側筐体部６の脚部６ａを配置する切除部１８が形成してある。この切除部１８は前側筐体部６の接着剤流入孔６ｂの位置に対応して設けてある。
【００３１】
図４に示すように、後側スプリング１１は、全体として環状の板ばねであるが、本実施の形態では、左右に分割した一方側部３０と他方側部３２とから構成されている。後側スプリング１１の各外周側部（他端部）１１ｂ、１１ｂは、絶縁体（スペーサ）１７を介して後側筐体部５とヨーク３との間に挟持されており、絶縁体１７は後側スプリング１１とヨーク３との間の電気的絶縁を図っている。各内周側部１１ａ、１１ａは、レンズ支持体７のフランジ部２２の後端に接着固定してある。後側スプリング１１の各内周側部１１ａと外周側部１１ｂとは弾性変形可能な腕部１１ｃにより連結してある。
【００３２】
本実施の形態では、後側スプリング１１を構成する一方側部３０には端子３３が形成されており、他方側部３２には端子３５が形成されて各端子３３、３５が電源供給端子に接続されるようになっている。尚、一方側部３０と他方側部３２とは、各々コイル１５にハンダ付け等により電気的に接続されており、後側スプリング１１からコイル１５に通電するようになっている。
【００３３】
コイル１５は、ヨーク３の外周壁３ａと内周壁３ｂとの間に配置するが、マグネット１３がある角部１４ではマグネット１３と内周壁３ｂとの間に位置し、レンズ支持体７と共にヨーク３内を前後方向に移動するようになっている。
【００３４】
後側筐体部５は、外周形状が平面視四角形であり、ヨーク３の外周に位置する外壁５ａと、ヨーク３の後側に位置する基底部５ｂとを有しており、後側筐体部５の基底部５ｂには後側スプリング１１の外周側部１１ｂが載置される。
【００３５】
平面視四角形の後側筐体部５において、外壁５ａは各角部に立設されており、外壁５ａの内周側面はヨーク３の外周壁３ａに対面している。
【００３６】
前側筐体部（筐体部）６はヨーク３の前側に配置されており、ヨーク３との間に前側スプリング９の外周側部９ｂを挟んで保持すると共に、ヨーク３の外周で後側筐体部５と連結固定してレンズ駆動装置１の筐体を形成している。
【００３７】
この前側筐体部６は、平面視四角形を成し、各角部から脚部６ａが後側に向けて立設されており、脚部６ａの内周側に後側筐体部５の外壁５ａが位置して、脚部６ａの先端が後側筐体部５の段部５ｃに当接している。
【００３８】
前側筐体部６の前面には各角部に接着剤流入孔６ｂが形成されている。この接着剤流入孔６ｂは脚部６ａの内周側に位置し、接着剤流入孔６ｂから流入した接着剤が脚部６ａの内周面とヨーク３の外周壁３ａとの間に流入するようになっている。
【００３９】
次に、本発明の実施の形態に係るレンズ駆動装置１の組立て、作用及び効果について説明する。レンズ駆動装置１の組立ての前に、予めレンズ支持体７のレンズ保持部２０には、内周にレンズが固定してあり、レンズ保持部２０の後部にフランジ部２２の内周側を配置してレンズ保持部２０に対して相対的にフランジ部２２を回転することにより、脱着自在に嵌合固定しておく。
【００４０】
レンズ駆動装置１の組立ては、図４に示すように、後側筐体部５に後側スプリング１１、スペーサ１７、マグネット１３を内部に固定したヨーク３、コイル１５を固定したレンズ支持体７、前側スプリング９及び前側筐体部６を組み付ける。
【００４１】
レンズ支持体７と前側スプリングとの組み付けは、レンズ支持体７の外周側に前側スプリング９の内周側部９ａを挿入するようにして、レンズ支持体７の抜け止め部２３を挿通凹部２４に挿通する。このとき、レンズ支持体７の係止部２５は内周側部９ａの内周縁に形成した凹部２６に位置する。その後、レンズ支持体７に対して前側スプリング９を相対的に回転し、抜け止め部２３が挿通凹部２４からずれた後に、係止部２５が凹部２６を周方向に移動し、レンズ支持体の係止部２５と前側スプリング９の被係止部２７とが係止してレンズ支持体７に対する前側スプリング９の内周側部９ａの回転を阻止する。これにより、図１に示すように、レンズ支持体７に前側スプリング９が係脱自在に取り付けられる。
【００４２】
本実施の形態によれば、レンズ支持体７に設けた抜け止め部２３が前側スプリング９の内周側部９ａに係止することにより、接着剤を用いることなくレンズ支持体７にスプリング９の内周側部９ａを取り付けできる。
【００４３】
従って、接着剤の食み出しがないから、食み出した接着剤がレンズ駆動装置１の組み付けの障害になったり、レンズ駆動装置の製造後にレンズ支持体７の移動機能を阻害したりすることがない。
【００４４】
図４に示すようなレンズ駆動装置１の組み付け時において、レンズ支持体７には前側スプリング９を係止しているので、組み付け時におけるレンズ支持体７と前側スプリング９との位置ずれを防止できる。
【００４５】
レンズ支持体７に予めレンズを組み付けたものを用いてレンズ駆動装置を製造し、製造後に不良が生じた場合に、レンズ支持体７と前側スプリング９の内周側部９ａとは接着固定していないから、抜け止め部２５の係止状態を外すことにより、レンズ支持体７を前側スプリングから外せるので、高価なレンズを保持しているレンズ支持体７を取り出して再利用することができる。特に、本実施の形態では、レンズ支持体７は、レンズ保持部２０とフランジ部２２とを脱着自在に嵌合しているので、コイル１５や後側スプリング１１を接着固定しているフランジ部２２をレンズ支持体７から外せるので、コイル１５や後側スプリング１１の不良等の場合にも簡単にレンズ保持部２０のみを抜き出して、再利用を図ることができる。
【００４６】
抜け止め部２３はレンズ支持体７に形成した突部であり、スプリング９の内周側部９ａに形成した挿通凹部２４は内周側縁に形成した凹みであるから簡単な構成でレンズ支持体に対するスプリング内周側部を脱着自在な抜け止め構造にすることができる。
【００４７】
本発明は、上述した実施の形態に限らず、本発明の要旨を逸脱しない範囲で種々変形可能である。
【００４８】
例えば、レンズ支持体７は、レンズ保持部２０とフランジ部２２とが一体のものであっても良い。
【００４９】
レンズ支持体７には、後側スプリング１１を設けることに限らず、レンズ支持体７は前側スプリング９のみで弾性支持するものであっても良い。
【００５０】
抜け止め部２３は、レンズ支持体７に設けた凹みとし、スプリング９の内周側部９ａに内周側に突設する突部を設けて、凹み状の抜け止め部に係止するものであっても良い。
【００５１】
係止部２５はレンズ支持体７に設けた凹みの周方向の端とし、被係止部２７はスプリング９の内周側部９ａに内周側に突設する突部として、係止部２５と被係止部２７を周方向で係止する構成としても良い。
【図面の簡単な説明】
【００５２】
【図１】本発明の実施の形態に係るレンズ支持体とスプリングとの組み付け状態を光軸方向前側から見た斜視図である。
【図２】図１に示すレンズ支持体とスプリングとの組み付け状態の縦断面図である。
【図３】図１に示すレンズ支持体とスプリングとの組み付け前の状態を光軸方向前側から見た斜視図である。
【図４】本発明の実施の形態に係るレンズ駆動装置の分解斜視図である。
【図５】図６のＡ−Ａ断面図である。
【図６】本実施の形態に係るレンズ駆動装置の概観を示す斜視図である。
【符号の説明】
【００５３】
１      レンズ駆動装置
３      ヨーク
５      後側筐体（筐体部）
６      前側筐体（筐体部）
７      レンズ支持体
９      前側スプリング（スプリング）
９ａ    内周側部
９ｂ    外周側部
９ｃ    腕部
１３    マグネット
１５    コイル
１９    コイル固定部
２３    抜け止め部
２４    挿通凹部
２５    係止部
２７    被係止部
【図１】
2008310236.tif 000003
【図２】
2008310236.tif 000004
【図３】
2008310236.tif 000005
【図４】
2008310236.tif 000006
【図５】
2008310236.tif 000007
【図６】
2008310236.tif 000008